(57)【要約】【課題】簡単な構造でカップ収納空間の底部の高さを変化することができるカップホルダー構造を提供する。【解決手段】上方が開口したカップ収納空間４０が設けられたインナーケース（ホルダー本体）２０と、このインナーケース２０のカップ収納空間４０内に着脱自在に配置されたスペーサ３０とを備え、スペーサ３０は、上下位置を反転させて配置することでカップ収納空間４０の底部の高さを変化させる第１、第２壁部３１、３２を有している。【選択図】  図１
2004161206.tif 000002
【特許請求の範囲】
【請求項１】
上方が開口したカップ収納空間が設けられたホルダー本体と、
該ホルダー本体の前記カップ収納空間内に着脱自在に配置されて前記カップ収納空間の底面を形成し、且つ、上下位置を反転させて配置することで前記カップ収納空間の底部の高さを変化させるスペーサとを備えることを特徴とするカップホルダー構造。
【請求項２】
請求項１に記載のカップホルダー構造において、前記ホルダー本体には前記スペーサを支持する支持部が設けられ、
前記スペーサには前記支持部に支持される被支持部が設けられると共に、前記被支持部の上下位置において互いに対峙して該スペーサの上面又は下面として選択的に前記カップ収納空間の底面をなす第１、第２壁部が設けられ、
前記被支持部から前記第１壁部までの距離よりも、前記被支持部から前記第２壁部までの距離の方が大きいことを特徴とするカップホルダー構造。
【請求項３】
請求項１又は２に記載のカップホルダー構造において、前記スペーサは、前記第１、第２壁部の少なくとも一方に指掛け部が形成されたことを特徴とするカップホルダー構造。
【請求項４】
請求項１ないし請求項３のいずれか一つに記載のカップホルダー構造において、前記ホルダー本体の底部には前記スペーサが収納される収納凹部が設けられ、該収納凹部の内周壁部には上下方向に延びるリブが設けられ、該リブの上端面が前記支持部をなすと共に、前記スペーサを前記収納凹部内に収納した際に、前記スペーサの側面が前記リブの内側面に当接することを特徴とするカップホルダー構造。
【請求項５】
請求項１ないし請求項４のいずれか一つに記載のカップホルダー構造において、前記スペーサには、前記カップ収納空間内に配置した際に回転することを防止する回転防止部が形成されたことを特徴とするカップホルダー構造。
【発明の詳細な説明】
【０００１】
【発明の属する技術分野】
この発明は、車両内に配設されて高さの異なるカップやペットボトル等を保持するカップホルダー構造に関するものである。
【０００２】
【従来の技術】
従来のカップホルダー構造としては、図９（ａ）に示すようなものが知られている（例えば、特許文献１参照）。
【０００３】
このカップホルダー構造は、上方が開口したカップ収納空間Ｓを有するホルダー本体１と、このホルダー本体１のカップ収納空間Ｓ内に配設されると共に、中心に貫通穴２ａ〜４ａが形成された第１〜第３昇降ホルダー２〜４とを備えている。
【０００４】
これらの第１〜第３昇降ホルダー２〜４は順に貫通穴２ａ〜４ａの内径が小さくなるように形成され、第１昇降ホルダー２の貫通穴２ａ内に第２昇降ホルダー３が挿入され、この第２昇降ホルダー３の貫通穴３ａ内に第３昇降ホルダー４が挿入されている。
【０００５】
そして、第１〜第３昇降ホルダー２〜４は、カップ収納空間Ｓ内で上下方向に昇降可能になるように配設されている。
【０００６】
このカップホルダー構造において、図９（ａ）に示すように、第２昇降ホルダー３の貫通穴３ａの内径とほぼ同じ外径を有するカップＫ１を保持させる場合では、第３昇降ホルダー４が下方に押し下げられて、この第３昇降ホルダー４の上面にカップＫ１が載置される。
【０００７】
また、図９（ｂ）に示すように、第３昇降ホルダー４の貫通穴４ａの内径よりも小さい外径を有するカップＫ２を保持させる場合では、第１〜第３昇降ホルダーは上昇位置に保持されたままで、ホルダー本体１の底部１ａにカップＫ２が載置される。
【０００８】
このように、第１〜第３昇降ホルダー２〜４を昇降させて、これらの第１〜第３昇降ホルダー２〜４の高さ分だけカップ収納空間Ｓの底部の高さを変化させ、カップＫ１、Ｋ２がカップ収納空間Ｓから突出する高さを調節していた。
【０００９】
【特許文献１】
特開２００１−３９２０２号公報
【００１０】
【発明が解決しようとする課題】
しかしながら、このようなカップホルダー構造にあっては、カップ収納空間Ｓの底部の高さを変化させるために、第１〜第３昇降ホルダー２〜４を昇降させる複雑な昇降機構が必要となっていた。
【００１１】
また、構造が複雑であるので製造に手間がかかり、製造コストが上昇するという問題も生じていた。
【００１２】
この発明は、上記問題に鑑みてなされたものであり、簡単な構造でカップ収納空間の底部の高さを変化することができるカップホルダー構造を提供することを目的としている。
【００１３】
【課題を解決するための手段】
上記課題を解決するために、請求項１に係る発明は、上方が開口したカップ収納空間が設けられたホルダー本体と、このホルダー本体のカップ収納空間内に着脱自在に配置されてカップ収納空間の底面を形成し、且つ、上下位置を反転させて配置することでカップ収納空間の底部の高さを変化させるスペーサとを備えることを特徴としている。
【００１４】
また、請求項２に係る発明は、請求項１に記載のカップホルダー構造において、ホルダー本体にはスペーサを支持する支持部が設けられ、スペーサには支持部に支持される被支持部が設けられると共に、被支持部の上下位置において互いに対峙してこのスペーサの上面又は下面として選択的に前記カップ収納空間の底面をなす第１、第２壁部が設けられ、被支持部から第１壁部までの距離よりも、被支持部から第２壁部までの距離の方が大きいことを特徴としている。
【００１５】
このような請求項１又は２の発明によれば、スペーサを昇降させずに上下位置を反転させて配置することでカップ収納空間の底部の高さを変化させることができるので、複雑な昇降手段が不要になり、簡単な構造でカップ収納空間の底部の高さを変化させることができると共に、容易に製造可能となり、製造コストを抑制することもできる。
【００１６】
請求項３に係る発明は、請求項１又は請求項２に記載のカップホルダー構造において、スペーサは、第１、第２壁部の少なくとも一方に指掛け部が形成されたことを特徴としている。
【００１７】
このような請求項３の発明によれば、請求項１ないし３の効果に加え、カップ収納空間の底部の高さを変化させる際に、このカップ収納空間からスペーサを取り出しやすくなり、さらに容易にカップ収納空間の底部の高さを変化させることができる。
【００１８】
請求項４に係る発明は、請求項１ないし請求項３のいずれか一つに記載のカップホルダー構造において、ホルダー本体の底部にはスペーサが収納される収納凹部が設けられ、この収納凹部の内周壁面には上下方向に延びるリブが設けられ、このリブの上端面が支持部をなすと共に、スペーサを収納凹部内に収納した際に、スペーサの側面がリブの内側面に当接することを特徴としている。
【００１９】
このような請求項４の発明によれば、請求項１ないし３の効果に加え、スペーサを収納凹部内に収納した際に、リブがスペーサの支持手段、及び、左右方向への移動規制手段となるので、各手段のための部材が一つになり、部品点数の低減を図ることができる。
【００２０】
請求項５に係る発明は、請求項１ないし請求項４のいずれか一つに記載のカップホルダー構造において、スペーサにはカップ収納空間内に配置した際に回転することを防止する回転防止部が形成されたことを特徴としている。
【００２１】
このような請求項５の発明によれば、請求項１ないし４の効果に加え、スペーサを収納凹部に収納した際に回転せず、外径が細いカップ等の容器をカップ収納空間内に保持させた場合に、スペーサが回転して容器の下端部がすくわれて転倒するおそれがなくなり、容器を安定した状態で保持することができる。
【００２２】
【発明の実施の形態】
以下、図面に基づいてこの発明の実施の形態を説明する。
【００２３】
この発明のカップホルダー構造１０は、図１に示すようにアウターケース１１と、インナートレイ（ホルダー本体）２０と、スペーサ３０等とを備えている。
【００２４】
そして、このカップホルダー構造１０は、図２に示すように、車両２００の内部に設けられた運転席２０１と助手席２０２との間に設置されたセンタコンソール２０３に設けられている。
【００２５】
センタコンソール２０３には凹部が形成され、この凹部には上面がセンタコンソール２０３の表面とほぼ面一に位置するように、アウターケース１１が埋設されている。
【００２６】
そして、図１に示すように、このアウターケース１１内にはインナートレイ（ホルダー本体）２０が嵌着され、インナートレイ２０内にはスペーサ３０が着脱自在に配置されている。
【００２７】
アウターケース１１は、図１に示すように、上方に向かって開口すると共にインナートレイ２０が嵌着するケース凹部１２と、このケース凹部１２の開口１２ａの周縁部に上下に回動自在に設けられたリッド１３と、リッド１３の内側に起倒自在に設けられて開口１２ａの一部を覆うフラップ１４と、開閉ボタン１５とを備えている。
【００２８】
この開閉ボタン１５は、リッド１３を下方に回動して開口１２ａを閉めた際に、このリッド１３に形成されたロック部１３ａと係合してリッド１３を閉状態にロックする。そして、開閉ボタン１５を押すとロック部１３ａが解除され、リッド１３が上方に回動して開口１２ａを開くようになっている。
【００２９】
インナートレイ２０は、図１に示すように、アウターケース１１のケース凹部１２内に嵌着可能に形成されると共に、上方に開口したカップ収納空間４０が設けられている。そして、このインナートレイ２０の底部にはスペーサ３０が収納される収納凹部２１が設けられている（図４参照）。
【００３０】
カップ収納空間４０は円筒状に上下方向に延在されており、ここでは隣接する他の収納空間４１と連続している。ここで、他の収納空間４１も上方に開口すると共に円筒状に上下方向に延在されている。
【００３１】
そして、カップ収納空間４０と隣接する他の収納空間４１とは重複した空間を有し、これらの連続した開口４２は、平面視ひょうたん形状にされている。
【００３２】
収納凹部２１はカップ収納空間４０の下側に連続して設けられており、隣接する他の収納空間４１の底面よりも下方にへこんでいる。また、収納凹部２１の内周壁面２１ａには複数のリブ２２、後述する回転防止部３６が当接する位置決面部２３、及び、回転防止部３６に対向したフランジ部３３が嵌め込まれる位置決段差部２４が形成されている。
【００３３】
リブ２２は収納凹部２１の底面から上方向に延在され、高さがΔＷに形成されている。また、このリブ２２の上端面２２ａは、図４に示すように、スペーサ３０をカップ収納空間４０内に配置した際にスペーサ３０に当接して、このスペーサ３０を支持する支持部Ｅをなしている。また、このリブ２２の内側面２２ｂは、スペーサ３０を収納凹部２１内に収納した際に、スペーサ３０の側面３０ａに当接するように、上方に向かうほど突出量が小さくなっている。
【００３４】
位置決面部２３は、収納凹部２１の一部を平面視直線状に切り欠くように突出しており、平坦な面が形成されている。また、位置決面部２３はリブ２２と同じ高さΔＷに形成されている。なお、この位置決面部２３は、隣接する他の収納空間４１側に設けられている。
【００３５】
位置決段差部２４は位置決面部２３に対応して設けられ、位置決面部２３の上端側から他の収納空間４１に向かって円弧状に形成されている。また、この位置決段差部２４の高さは、後述するフランジ部３３の厚みと同じ高さＷ´に形成されている。
【００３６】
スペーサ３０は、図２に示すように、カップ収納空間４０及び収納凹部２１内に配置可能なほぼ円筒形状を呈し、カップ収納空間４０内に配置された際にこのカップ収納空間４０の底部を形成する。
【００３７】
そして、このスペーサ３０は、互いに対峙する上面又は下面として第１、第２壁部３１、３２と、この第１、第２壁部３１、３２の周縁を取り囲む側面３０ａとを有している。このスペーサ３０は所定の厚みＷとなるように第１壁部３１と第２壁部３２とは離間されている。
【００３８】
そして、第１壁部３１の周縁部には側方に突出するフランジ部（被支持部）３３が形成され、第１壁部３１とフランジ部３３とは面一にされている。このフランジ部３３の厚みはＷ´に形成されている。
【００３９】
つまり、フランジ部３３の第１壁部３１に臨む面３３ａから第１壁部３１までの距離はゼロである。一方、フランジ部３３の第２壁部３２に臨む面３３ｂから第２壁部３２までの距離ΔＷは、スペーサ３３の厚みＷからフランジ部３３の厚みＷ´を引いた大きさとなる。
【００４０】
そのため、フランジ部３３から第１壁部３１までの距離よりも、フランジ部３３から第２壁部３２までの距離の方が大きくなっている。
【００４１】
また、このスペーサ３０は、フランジ部３３から第２壁部３２に向かうにつれて次第に細くなるように形成されている。つまり、スペーサ３０の内径が第１壁部３１から第２壁部３２に向かうにつれて漸減しており、側面３０ａがテーパ状に形成されている。
【００４２】
そして、スペーサ２０の第１、第２壁部３１、３２には、それぞれほぼ中央に貫通孔（指掛け部）３４、３５が形成されている。この貫通孔３４、３５は、共に指先が挿入できると共に、挿入した指先を引っ掛けることが可能な大きさに形成されている。
【００４３】
さらに、このスペーサ２０は、第２壁部３２及びこの第２壁部３２からフランジ部３３の第２壁部３２に臨む面３３ｂまでの側面３０ａの一部分が平面視直線状に切り欠かれ、側面３０ａに平坦な面が形成されている。そして、この平坦な面がスペーサ２０をカップ収納空間４０内に配置した際に回転を防止する回転防止部３６となる（図５参照）。
【００４４】
次に、このカップホルダー構造の作用について説明する。
【００４５】
このカップホルダー構造１０では、あらかじめ車両２００のセンタコンソール２０３に形成された凹部にアウターケース１１が埋設され、このアウターケース１１のケース凹部１２内にインナーケース２０が嵌着されている。
【００４６】
そして、アウターケース１１に嵌着されたインナーケース２０のカップ収納空間４０内にスペーサ３０を配置する。
【００４７】
まず、図２〜図４に示すように、スペーサ３０の第１壁部３１が上方を向き、第２壁部３２が下方を向いた状態で配置される場合を説明する。
【００４８】
このとき、スペーサ３０は、側面３０ａに設けられた回転防止部３６と、収納凹部２１の内周壁面２１ａに設けられた位置決面部２３とが対向した状態で、第２壁部３２側からカップ収納空間４０内に挿入される。
【００４９】
そして、フランジ部３３がリブ２２の上端面２２ａに当接して支持されるまで挿入される（図４参照）。なお、第１壁部３１に形成された貫通孔３４に指を引っ掛けて挿入すると、容易に挿入することができる。
【００５０】
ここで、リブ２２の高さと、フランジ部３３の第２壁部３２に臨む面３３ｂから第２壁部３２までの距離とが共にΔＷである。そのため、フランジ部３３がリブ２２に支持されると、第２壁部３２がインナーケース２０の底面に対向し、スペーサ３０は収納凹部２１内に収納される。
【００５１】
これにより、スペーサ３０の第１壁部３１がカップ収納空間４０の底面をなすこととなる。
【００５２】
そして、このとき、カップ収納空間の底部の高さである収納凹部２１の底面からカップ収納空間４０の底面までの高さは、スペーサ３０の厚みと同じＷとなっている。
【００５３】
また、リブ２２の内側面２２ｂは、スペーサ３０の側面３０ａに当接するように上方に向かうほど突出量が小さくなっているので、テーパ状にされたスペーサ３０の側面３０ａにほとんど隙間なく当接することができる。そして、このリブ２２がスペーサ３０の支持手段、及び、左右方向への移動規制手段となるので、各手段のための部材が一つになり、部品点数の低減を図ることができる。
【００５４】
また、スペーサ３０は、フランジ部３３から第２壁部３２に向かうにつれて次第に細くなるように形成されているので、先細になった第２壁部３２側を挿入しやすく、スペーサ３０を収納凹部２１内に容易に配置することができる。
【００５５】
さらに、回転防止部３６と位置決面部２３とが対向した状態で挿入されているので、収納凹部２１内に収納されたスペーサ３０が回転することを防止できて、安定して配置することができる。そして、外径が細い容器をカップ収納空間４０内に保持させた場合に、スペーサ３０が回転して容器の下端部がすくわれて転倒するおそれがなくなり、容器を安定した状態で保持することができる。
【００５６】
そして、図４において二点鎖線で示すように、ペットボトル１００、１０１や紙コップ１０２等の背の高い飲料用の容器等を安定した状態で支持することができる。
【００５７】
次に、図５〜図７に示すように、スペーサ３０の上下位置を反転させて、第１壁部３１が下方を向き、第２壁部３２が下方を向いた状態で配置される場合を説明する。
【００５８】
まず、スペーサ３０の上下位置を反転させるには、収納凹部２１内に収納されたスペーサ３０を取り出す。このとき、第１壁部３１に形成された貫通孔３４に指先を引っ掛けてスペーサ３０を引き上げる。このように、貫通孔３４に指先を引っ掛けることができるので、カップ収納空間４０から容易にスペーサ３０を取り出すことができる。
【００５９】
そして、取り出したスペーサ３０の上下位置を反転させてから、再びカップ収納空間４０内にスペーサ３０を挿入する。なお、このとき第２壁部３２に形成された貫通孔３５に指先を引っ掛けると、容易に挿入することができる。
【００６０】
このとき、スペーサ３０は第１壁部３１側からカップ収納空間４０内に挿入される。そして、このスペーサ３０は、フランジ部３３がリブ２２の上端面２２ａに当接して支持されるまで挿入される（図７参照）。
【００６１】
フランジ部３３がリブ２２に支持されると、第１壁部３１がリブ２２の上端面２２ａに対向し、支持部Ｅであるリブ２２の上端面２２ａよりも上方に第２壁部３２が位置する。
【００６２】
したがって、スペーサ３０は収納凹部２１内に収納されず、カップ収納空間４０内に突出した状態で配置される。
【００６３】
これにより、スペーサ３０の第２壁部３２がカップ収納空間４０の底面をなすこととなる。
【００６４】
そして、このとき、カップ収納空間の底部の高さである収納凹部２１の底面からカップ収納空間４０の底面までの高さは、リブ２２の高さΔＷとスペーサ３０の厚みＷとを重ねた高さになっている。
【００６５】
したがって、スペーサ３０の第１壁部３１がカップ収納空間４０の底面をなす場合と、第２壁部３２がカップ収納空間４０の底面をなす場合とを比較すると、第２壁部３２が底面となった場合の方がスペーサ３０の厚みＷの分、カップ収納空間の底部の高さは高くされている。
【００６６】
つまり、スペーサ３０の上下位置を反転させてカップ収納空間４０内に配置することによって、このカップ収納空間４０の底部の高さを変化させることができる。
【００６７】
そして、第２壁部３２がカップ収納空間４０の底面をなした場合では、比較的高さが低い飲料用の容器等を高い位置で安定して支持することができ、さらに、図７において二点鎖線で示すように、取っ手を有するカップ１０３の取っ手部分をカップ収納空間４０から張り出した状態で収納できる。したがって、これらの容器を取り出しやすくすることができる。
【００６８】
また、スペーサ３０の側面３０ａに形成された回転防止部３６を、隣接する他の収納空間４１に対向するように配置した場合では、スペーサ３０が他の収納空間４２内に突出することが防止できる。そのため、この他の収納空間４２内に収納した容器等とスペーサ３０との干渉防止を図ることができて、他の収納空間４２に径の太い容器等を収納することができる。
【００６９】
なお、図４において、ペットボトル１００とペットボトル１０１とは、径の太さが異なっている。このように異なる径の容器であっても、図３に示すようにフラップ１４を適宜起倒することにより、安定して保持することができる。
【００７０】
つまり、図８（ａ）に示すように、フラップ１４を起立させた場合では、カップ収納空間４０の開口４２は広くなり、径の太い容器であるペットボトル１００等を収納することができる。
【００７１】
また、図８（ｂ）に示すように、フラップ１４を倒した場合では、カップ収納空間４０の開口４２は狭くなり、径の細い容器であるペットボトル１０１等を安定して収納することができる。
【００７２】
以上説明してきたように、このカップホルダー構造では、上方が開口したカップ収納空間４０が設けられたインナーケース（ホルダー本体）２０と、このインナーケース２０のカップ収納空間４０内に着脱自在に配置されてカップ収納空間４０の底面を形成し、且つ、上下位置を反転させて配置することで、カップ収納空間４０の底部の高さを変化させるスペーサ３０とを備えた構成となっている。
【００７３】
さらに、インナーケース２０にはスペーサ３０を支持する支持部Ｅが設けられ、スペーサ３０には支持部Ｅに支持されるフランジ部３３（被支持部）が設けられると共に、フランジ部３３の上下位置において互いに対峙してスペーサ３０の上面又は下面として選択的にカップ収納空間４０の底面をなす第１、第２壁部３１、３２が設けられ、フランジ部３３から第１壁部３１までの距離よりもフランジ部３３から第２壁部３２までの距離の方が大きい構成となっている。
【００７４】
これらの構成によれば、スペーサ３０を昇降させずにカップ収納空間４０の底部の高さを容易に変化させることができる。そして、複雑な昇降手段が不要になり、簡単な構造でカップ収納空間４０の底部の高さを変化させることができると共に、インナーケース２０やスペーサ３０等を容易に製造可能となり、製造コストを抑制することもできる。
【００７５】
さらに、このスペーサ３０は、第１、第２壁部３１、３２の少なくとも一方、ここでは両方に貫通孔３４、３５（指掛け部）が形成された構成となっている。
【００７６】
この構成によれば、カップ収納空間４０の底部の高さを変化させる際に、このカップ収納空間４０からスペーサ３０を取り出しやすくなり、さらに容易にカップ収納空間４０の底部の高さを変化させることができる。
【００７７】
そして、このカップホルダー構造１０では、ホルダー本体２０の底部にスペーサ３０が収納される収納凹部２１が設けられ、この収納凹部２１の内周壁面２１ａに上下方向に延びるリブ２２が設けられ、このリブ２２の上端面２２ａが支持部Ｅをなすと共に、スペーサ３０を収納凹部２１内に収納した際に、スペーサ３０の側面３０ａがリブ２２の内側面２２ｂに当接する構成となっている。
【００７８】
この構成によれば、スペーサ３０を収納凹部２１内に収納した際に、リブ２２がスペーサ３０の支持手段、及び、左右方向への移動規制手段となるので、各手段のための部材が一つになり、部品点数の低減を図ることができる。
【００７９】
また、スペーサ３０は、カップ収納空間４２内に配置した際に回転することを防止する回転防止部３６が形成された構成となっている。
【００８０】
この構成によれば、スペーサ３０を収納凹部２１に収納した際に回転せず、外径が細いカップ等の容器をカップ収納空間４０内に保持させた場合に、スペーサ３０が回転して容器の下端部がすくわれて転倒するおそれがなくなり、容器を安定した状態で保持することができる。
【００８１】
以上、この発明に係る実施の形態の一つを図面により詳述してきたが、具体的な構成は上述の実施の形態に限らず、この発明の要旨を逸脱しない範囲の設計の変更等もこの発明に含まれる。
【００８２】
例えば、回転防止部３６と位置決面部２３とを、互いに嵌合しあう平面視曲線状に形成してもよい。
【００８３】
また、フランジ部３３をスペーサ３０の側面３０ａの上下方向中間部に設けても良い。この場合であっても、フランジ部３３から第１壁部３１までの距離よりも、フランジ部３３から第２壁部３２までの距離の方が大きく形成する。これにより、スペーサ３０の上下位置を反転させて配置すれば、カップ収納空間４０の底部の高さを変化させることができる。
【００８４】
【発明の効果】
以上説明したように、この発明によれば、簡単な構造でカップ収納空間の底部の高さを変化することができるカップホルダー構造を提供することができる。
【図面の簡単な説明】
【図１】この発明に係るカップホルダー構造の第１状態を示した分解斜視図である。
【図２】この発明に係るカップホルダー構造が配設される車両内部を示した斜視図である。
【図３】図１に示すカップホルダー構造を組み付けた状態を示した斜視図である。
【図４】図３におけるＡ−Ａ断面図である。
【図５】この発明に係るカップホルダー構造の第２状態を示した分解斜視図である。
【図６】図５に示すカップホルダー構造を組み付けた状態を示した斜視図である。
【図７】図６におけるＢ−Ｂ断面図である。
【図８】（ａ）この発明に係るカップホルダー構造により、径の太い容器を保持した場合を示す平面図である。
（ｂ）この発明に係るカップホルダー構造により、径の細い容器を保持した場合を示す平面図である。
【図９】（ａ）従来のカップホルダー構造により、径の太い容器を保持した場合の断面図である。
（ｂ）従来のカップホルダー構造により、径の細い容器を保持した場合の断面図である。
【符号の説明】
２０        インナーケース（ホルダー本体）
３０        スペーサ
３１        第１壁部
３２        第２壁部
４０        カップ収納空間
【図１】
2004161206.tif 000003
【図２】
2004161206.tif 000004
【図３】
2004161206.tif 000005
【図４】
2004161206.tif 000006
【図５】
2004161206.tif 000007
【図６】
2004161206.tif 000008
【図７】
2004161206.tif 000009
【図８】
2004161206.tif 000010
【図９】
2004161206.tif 000011